(57)【要約】【課題】ディスプレイやキーボードの性能を損ねることなく、小型にして携帯することが可能な携帯用情報機器を提供する。【解決手段】二つ折りに折り畳み可能なディスプレイ１０と、ディスプレイ１０の一縁部に接続され、二つ折りに折り畳んだディスプレイ１０の内側に収納可能なキーボード２０と、を備えることを特徴とする。キーボード２０は、ディスプレイ１０の折り畳み方向に沿う方向で二つ折りに折り畳み可能であるとよい。【選択図】図１
2017068736.tif 000002
【特許請求の範囲】
【請求項１】
二つ折りに折り畳み可能なディスプレイと、
前記ディスプレイの一縁部に接続され、前記二つ折りに折り畳んだディスプレイの内側に収納可能なキーボードと、を備えることを特徴とする携帯用情報機器。
【請求項２】
請求項１記載の携帯用情報機器において、
前記キーボードは、前記ディスプレイの折り畳み方向に沿う方向で二つ折りに折り畳み可能であることを特徴とする携帯用情報機器。
【請求項３】
請求項２記載の携帯用情報機器において、
前記キーボードを二つ折りに折り畳み、前記ディスプレイの内側に収納した状態で、前記キーボードの一部と前記ディスプレイの一部とを固定する一方、前記ディスプレイを折り畳んだ状態から開く途中で前記固定が解除される固定手段を備えることを特徴とする携帯用情報機器。
【請求項４】
請求項３記載の携帯用情報機器において、
前記固定手段は、前記キーボードまたは前記ディスプレイのいずれか一方に設けられた磁石と、前記キーボードまたは前記ディスプレイのいずれか他方に設けられ、前記磁石に吸着可能な被吸着体と、を有することを特徴とする携帯用情報機器。
【請求項５】
請求項１から４のいずれか一項記載の携帯用情報機器において、
前記ディスプレイがフレキシブルディスプレイを有することを特徴とする携帯用情報機器。
【請求項６】
請求項１から５のいずれか一項記載の携帯用情報機器において、
前記ディスプレイの背面側に前記ディスプレイを起立保持可能なスタンドを備えることを特徴とする携帯用情報機器。
【請求項７】
請求項６記載の携帯用情報機器において、
前記キーボードは、前記一縁部の一部に接続されており、
前記一縁部のうち前記キーボードが接続されていない部分の背面側に前記スタンドが配設されていることを特徴とする携帯用情報機器。 
【発明の詳細な説明】
【技術分野】
【０００１】
本発明は、ディスプレイとキーボードとを備えた携帯用情報機器に関する。
【背景技術】
【０００２】
従来、ノートブック型パーソナルコンピュータ（ノート型ＰＣ）が知られている。このノート型ＰＣにおいては、携帯性を高めるために、より薄型であることが求められている。
【０００３】
例えば特許文献１には、筐体と一体化されたキーボードを備えたノート型ＰＣにおいて、ベースプレートのキートップの周縁部に対応する位置にスリットを設けた構成が提案されている。この構成により、押下されたキートップの周辺部がスリット内に入り込むため、全体構造を薄型化しつつキーストロークを確保することが可能となっている。
【先行技術文献】
【特許文献】
【０００４】
【特許文献１】国際公開第２００４／１１４３４３号
【発明の概要】
【発明が解決しようとする課題】
【０００５】
ところで、ノート型ＰＣには、薄型化のみではなく、携帯性の点から小型化することも求められている。一方、ノート型ＰＣのディスプレイは、画面の視認のし易さや作業性などの性能の点からディスプレイが大きい方が適している。また、ノート型ＰＣでは、入力の速度や入力の操作方法の点で、フルキーボードが適している。しかしながら、ディスプレイを大きくするとともに、フルキーボードを用いることは、ノート型ＰＣの大型化を招いてしまう。
【０００６】
本発明は、上記に鑑みてなされたものであって、ディスプレイやキーボードの性能を損ねることなく、小型にして携帯することが可能な携帯用情報機器を提供することを目的とする。
【課題を解決するための手段】
【０００７】
上述した課題を解決し、目的を達成するために、本発明に係る携帯用情報機器は、二つ折りに折り畳み可能なディスプレイと、前記ディスプレイの一縁部に接続され、前記二つ折りに折り畳んだディスプレイの内側に収納可能なキーボードと、を備えることを特徴とする。
【０００８】
このような構成によれば、二つ折りに折り畳み可能なディスプレイを備え、キーボードを二つ折りに畳んだディスプレイの内側に収容可能なので、携帯用情報機器を小型にして携帯することができる。また、二つ折りに畳んだディスプレイを広げることで、画面サイズを十分に大きくして携帯用情報機器を使用できる。
【０００９】
また、本発明に係る携帯用情報機器において、前記キーボードは、前記ディスプレイの折り畳み方向に沿う方向で二つ折りに折り畳み可能であってもよい。この場合、ディスプレイの折り畳み方向に沿う方向で二つ折りに折り畳み可能なので、ディスプレイとキーボードとを重ねた状態でディスプレイを閉じることで、ディスプレイとキーボードとを併せて閉じることができる。また、二つ折りに畳んだキーボードを広げることで、例えばフルキーボードとして使用できる。
【００１０】
また、本発明に係る携帯用情報機器において、前記キーボードを二つ折りに折り畳み、前記ディスプレイの内側に収納した状態で、前記キーボードの一部と前記ディスプレイの一部とを固定する一方、前記ディスプレイを折り畳んだ状態から開く途中で前記固定が解除される固定手段を備える構成としてもよい。この場合、ディスプレイを開く際に、キーボードの一部とディスプレイの一部とが固定手段により固定されているのでディスプレイを開くとともに、二つ折りに畳まれたキーボードも開くことができる。そして、固定手段は、ディスプレイを折り畳んだ状態から開く途中で固定が解除されるので、例えばディスプレイとキーボードとを１８０度まで容易に開くことが可能である。
【００１１】
また、本発明に係る携帯用情報機器において、前記固定手段は、前記キーボードまたは前記ディスプレイのいずれか一方に設けられた磁石と、前記キーボードまたは前記ディスプレイのいずれか他方に設けられ、前記磁石に吸着可能な被吸着体と、を有する構成としてもよい。この場合、固定手段は磁石と被吸着体とを有しているので、固定と、その固定の解除とを磁力の力を利用して容易に行うことができる。
【００１２】
また、本発明に係る携帯用情報機器は、前記ディスプレイがフレキシブルディスプレイを有していてもよい。
【００１３】
また、本発明に係る携帯用情報機器は、前記ディスプレイの背面側に前記ディスプレイを起立保持可能なスタンドを備えていてもよい。
【００１４】
また、本発明に係る携帯用情報機器において、前記キーボードは、前記一縁部の一部に接続されており、前記一縁部のうち前記キーボードが接続されていない部分の背面側に前記スタンドが配設されていることが好ましい。この場合、前述の一縁部において、キーボードとディスプレイの接続箇所と、スタンドの配設箇所が異なる位置にあるので、スタンドによって容易にディスプレイを起立保持することができる。
【発明の効果】
【００１５】
本発明によれば、ディスプレイやキーボードの性能を損ねることなく、小型にして携帯することが可能な携帯用情報機器を提供することを目的とする。
【図面の簡単な説明】
【００１６】
【図１】図１は、本発明の一実施形態に係る携帯用情報機器の使用状態を示す正面図である。
【図２】図２は、図１に示す携帯用情報機器の側面図である。
【図３】図３は、本発明の一実施形態に係る携帯用情報機器を折り畳んだ状態を示す断面図である。
【図４】図４は、本発明の一実施形態に係る携帯用情報機器を折り畳んだ状態から使用状態にする手順を示す概略説明図である。
【図５】図５は、本発明の一実施形態に係る携帯用情報機器の変形例を示す図である。
【図６】図６は、本発明の他の実施形態に係る携帯用情報機器の使用状態を示す図である。
【図７】図７は、図６に示す携帯用情報機器を折り畳んだ状態を示す断面図である。
【発明を実施するための形態】
【００１７】
以下に添付図面を参照して、本発明に係る携帯用情報機器の好適な実施形態について詳細に説明する。なお、以下の実施形態により本発明が限定されるものではない。また、各図面において、同一または対応する要素には適宜同一の符号を付し、重複した説明を適宜省略する。
【００１８】
図１は、本発明の一実施形態に係る携帯用情報機器１の使用状態を示す正面図である。
図２は、図１に示す携帯用情報機器１の側面図である。図３は、本発明の一実施形態に係る携帯用情報機器１を折り畳んだ状態を示す断面図である。
【００１９】
図１〜図３に示すように、携帯情報機器１は、二つ折りに折り畳み可能なディスプレイ１０と、ディスプレイ１０の一縁部に接続されたキーボード２０と、ディスプレイ１０を起立保持可能なスタンド３０と、固定手段４０とを備えている。この携帯用情報機器１は、いわゆるノートブック型パーソナルコンピュータ（ノート型ＰＣ）である。
【００２０】
ディスプレイ１０は、二つ折りに折り畳み可能な一対のディスプレイ筐体１１ａ、１１ｂと、一対のディスプレイ筐体１１ａ、１１ｂの前面に設けられた液晶表示部１２と、を備える。なお、図１において、一点鎖線Ａで示す位置は、一対のディスプレイ筐体１１ａ、１１ｂの折り畳み位置を示しており、長手方向の中央位置が折り畳み位置とされている。一対のディスプレイ筐体１１ａ、１１ｂ間は、例えばフレキシブルヒンジ１３を介して折り畳み可能に連結されている（図３参照）。また、ディスプレイ１０には、その内部に図示しない演算装置及びメモリ等の各種電子部品が設けられている。
【００２１】
液晶表示部１２は、ディスプレイ筐体１１ａ、１１ｂを折り畳んだ際に一緒に折り畳み可能な構造であり、例えば少なくとも二つ折りに折り畳み可能に形成された柔軟性の高いペーパー構造（フレキシブルディスプレイ）とされている（図３参照）。このような構成とされたディスプレイ１０は、二つ折りに折り畳み可能な一対のディスプレイ筐体１１ａ、１１ｂと液晶表示部１２とを備えているので、折り畳むことができるようになっている。
【００２２】
キーボード２０は、長手方向の中央付近で折り畳み可能な一対のキーボード部２０ａ、２０ｂを有している。このキーボード２０において、例えばヒンジ２１を介して一対のキーボード部２０ａ、２０ｂが折り畳み可能に連結されている。キーボード２０の折り畳み方向は、ディスプレイ１０の折り畳み方向に沿う方向とされている。
【００２３】
一対のキーボード部２０ａ、２０ｂのうち一方のキーボード部２０ａの一縁部が、ディスプレイ筐体１１ａの縁部に、折り曲げ可能な接続部２５を介して接続されている。この接続部２５には、例えばディスプレイおよびキーボードを接続するＦＰＣコネクタなどのフレキシブルなコネクタが設けられ、ディスプレイ１０とキーボード２０とを電気的に接続する。本実施形態において、キーボード１０は薄型の板状のものであり、キーボード２０を折りたたんだ状態で、二つ折りに折り畳んだディスプレイ１０の内側に収容可能とされている。
【００２４】
スタンド３０はディスプレイ１０の背面側に配設されており、スタンド３０をディスプレイ１０の背面側に折り返して載置面に載置することで、ディスプレイ１０を支持して起立保持するように構成されている。スタンド３０は、ディスプレイ１０の一縁部のうちキーボード２０が接続されていない部分の背面側に配設されている。本実施形態では、スタンド３０は、ディスプレイ筐体１１ｂの背面側に配設されている。
【００２５】
固定手段４０は、キーボード２０を二つ折りに折り畳みディスプレイ１０の内側に収納した状態で、キーボード２０の一部とディスプレイ１０の一部とを固定する一方、ディスプレイ１０を折り畳んだ状態から開く途中で固定が解除されるものである。本実施形態では、固定手段４０は、キーボード２０に設けられた磁石４１と、ディスプレイ１０に設けられ磁石４１に吸着可能な被吸着体４２（例えば鉄など）と、を有している（図１、３、４参照）。
【００２６】
なお、この固定手段４０は、例えば、キーボードとディスプレイとにそれぞれフックを設け、キーボードをディスプレイの内側に収納した状態ではフックによりキーボードとディスプレイとを固定する一方、ディスプレイを折り畳んだ状態から開く途中でフックによる固定が解除する構成としても良い。
【００２７】
次に、携帯用情報機器１を閉じた状態から開いて使用状態にする方法について説明する。図４は、本発明の一実施形態に係る携帯用情報機器１を折り畳んだ状態から使用状態にする手順を示す概略説明図である。
【００２８】
まず、図４（ａ）、（ｂ）に示すように、ディスプレイ１０が閉じた状態から、一対のディスプレイ筐体１１ａ、１１ｂが離間する方向に開く。このとき、ディスプレイ１０の一部（ディスプレイ筐体１１ｂ）と、キーボード２０の一部（キーボード部２０ｂ）とが、固定手段４０によって固定されているので、ディスプレイ１０を開くことで、二つ折りに折り畳まれて収納されているキーボード２０も開かれる。ここで、固定手段４０は、ディスプレイ１０を開く途中で固定が解除されるので、ディスプレイ１０を例えば１８０度まで開くことができる。すなわち、ディスプレイ１０を開く途中で、磁石４１と吸着体４２との吸着が解除されることで、ディスプレイ１０を所望の位置まで開くことができる。なお、図４において、一点鎖線Ｂで示される位置は、キーボード２０の折り返し位置を示している。
【００２９】
次いで、二つ折りに折り畳んだ状態から開かれたキーボード２０を手前に倒すとともに、スタンド３０を立てることによって、携帯用情報機器１を使用状態にすることができる。なお、キーボード２０に対して手前側に予め付勢力を与えておくことにより、ディスプレイ１０を開くだけで、自動的にキーボード２０が手前側に倒れるように構成することもできる。
【００３０】
以上のような構成とされた本実施形態に係る携帯用情報機器１においては、二つ折りに折り畳み可能なディスプレイ１０およびキーボード２０を備え、二つ折りに畳んだディスプレイ１０の内側にキーボード２０を収容可能なので、携帯用情報機器１を小型にして携帯することができる。そして、二つ折りに折り畳んだディスプレイ１０を開くことで、画面サイズを十分に大きくして携帯用情報機器１を使用できる。また、キーボード２０を開いて使用することで例えばフルキーボードとして使用できる。したがって、携帯用情報機器１では、使用時においてディスプレイ１０やキーボード２０の性能を損ねることなく、持ち運ぶ時に小型にして携帯できる。
【００３１】
また、キーボード２０は、ディスプレイ１０の折り畳み方向に沿う方向で二つ折りに折り畳み可能なので、ディスプレイ１０とキーボード２０とを重ねた状態でディスプレイを閉じることで、ディスプレイ１０とキーボード２０とを併せて閉じることができる。
【００３２】
また、携帯用情報機器１において、ディスプレイ１０（ディスプレイ筐体１１ａ、１１ｂ）を開く際に、キーボード２０の一部（キーボード部２０ｂ）とディスプレイ１０の一部（ディスプレイ筐体１１ｂ）とが固定手段４０（磁石４１および吸着体４２）により固定されているのでディスプレイ１０を開くとともに、二つ折りに折り畳まれたキーボード２０も開くことができる。そして、固定手段４０は、ディスプレイ１０を折り畳んだ状態から開く途中で固定が解除されるので、ディスプレイ１０とキーボード２０とを容易に開くことができ、ディスプレイ１０を開いた後にさらにキーボード２０を開くという使用者の手間も省くことができる。
【００３３】
また、液晶表示部１２がペーパー構造のフレキシブルディスプレイとされているので、ディスプレイ１０を開いた状態でも折り畳みの部分に折り曲げ線などがなく、画面表示を良好にできる。
【００３４】
また、キーボード２０（キーボード部２０ａ）は、ディスプレイ１０の一縁部の一部（ディスプレイ筐体１１ａ）に接続されており、一縁部のうちキーボード２０が接続されていない部分（ディスプレイ筐体１１ｂ）の背面側にスタンド３０が配設されているので、ディスプレイ１０をより安定して起立させることができる。
【００３５】
なお、本発明は、上記した実施形態に限定されるものではなく、本発明の主旨を逸脱しない範囲で自由に変更できることは勿論である。
【００３６】
例えば、上記実施形態では、キーボード２０に磁石４１が配設され、ディスプレイ１０に吸着体４２が配設された場合について説明したが、キーボードに吸着体が配設され、ディスプレイに磁石が配設された構成としても良い。
【００３７】
また、上記実施形態では、キーボード２０とディスプレイ１０が接続部２５によって接続された場合について説明したが、キーボードとディスプレイとが分離可能に構成され、キーボードとディスプレイとに設けられた端子を介してキーボードとディスプレイとを接続する構成としても良い。
【００３８】
図５は、本発明の一実施形態に係る携帯用情報機器１の変形例である携帯用情報機器１００を示す図である。携帯用情報機器１００は、二つ折りに折り畳み可能なディスプレイ１０と、ディスプレイ１０の一縁部に接続されたキーボード１２０と、ディスプレイ１０を起立保持可能なスタンド（図示なし）とを備えている。キーボード１２０は、一対のキーボード部１２０ａ、１２０ｂから構成されており、キーボード部１２０ａが接続部２５を介してディスプレイ筐体１１ａに接続され、キーボード部１２０ｂが接続部１２５を介してディスプレイ筐体１１ｂに接続されている。
【００３９】
図６は、本発明の他の実施形態に係る携帯用情報機器２００の使用状態を示す図である。図７は、図６に示す携帯用情報機器２００を折り畳んだ状態を示す断面図である。図６、７に示すように、ディスプレイ２１０の液晶表示部２１２は、各ディスプレイ筐体２１１ａ、２１１ｂの前面にそれぞれ小型の液晶表示部２１２ａ、２１２ｂを設けた２画面構造で構成されてもよい。この場合、ディスプレイ筐体２１２ａ、２１２ｂは、例えばヒンジ２１４に連結されている構成としても良い。
【符号の説明】
【００４０】
１、１００、２００  携帯用情報機器
１０、２１０  ディスプレイ
１１ａ、１１ｂ、２１１ａ、２１１ｂ  ディスプレイ筐体
１２、２１２ａ、２１２ｂ  液晶表示部
１３  フレキシブルヒンジ
２０、１２０  キーボード
２０ａ、２０ｂ、１２０ａ、１２０ｂ  キーボード部
２１  ヒンジ
２５、１２５  接続部
３０  スタンド
４０  固定手段
４１  磁石
４２  吸着体
２１４  ヒンジ 
【図１】
2017068736.tif 000003
【図２】
2017068736.tif 000004
【図３】
2017068736.tif 000005
【図４】
2017068736.tif 000006
【図５】
2017068736.tif 000007
【図６】
2017068736.tif 000008
【図７】
2017068736.tif 000009